(57)【要約】【課題】非接触式ＩＣカード機能用のループコイルアンテナと携帯電話装置などの無線通信用アンテナやディジタルテレビ受信用ホイップアンテナなどの他のアンテナを近接して配置したときに複数のアンテナ間に影響が生じないようにする。【解決手段】第１のアンテナ装置と、第１のアンテナ装置とは異なる周波数帯で使用する第２のアンテナ装置２とを備えた携帯端末装置１００において、第１のアンテナ装置を、アンテナ本体と、少なくとも一部が電磁波を吸収する電磁波吸収部材を用いてアンテナ本体を所定方向へ摺動可能となるように収納するアンテナガイド５と、アンテナガイド５に固定されアンテナ本体に電気的に接続して給電するアンテナターミナル４とで構成し、少なくとも一部が電磁波を吸収する電磁波吸収部材で構成したアンテナガイド５によりアンテナ間の影響を防ぐようにしている。【選択図】図１
2009111954.tif 000002
【特許請求の範囲】
【請求項１】
アンテナ本体と、
少なくとも一部が電磁波を吸収する電磁波吸収部材で構成され、前記アンテナ本体を所定方向へ摺動可能となるように収納するアンテナガイドと、
前記アンテナガイドに固定され、前記アンテナ本体に電気的に接続して給電するアンテナターミナルと、
を備えるアンテナ装置。
【請求項２】
前記アンテナガイドは、
前記アンテナターミナルの固定された電磁波を吸収しない部材で構成される部分と、
前記アンテナターミナルの固定されていない電磁波を吸収する電磁波吸収部材を有する部材で構成される部分と、を有する
ことを特徴とする請求項１記載のアンテナ装置。
【請求項３】
前記電磁波吸収部材を有する部材で構成される部分は、前記電磁波を吸収しない部材で構成される部分に装着又は接着されることを特徴とする請求項２記載のアンテナ装置。
【請求項４】
前記電磁波吸収部材を有する部材で構成される部分は、前記電磁波を吸収しない部材で構成される部分と一体成形され、電磁波を吸収しない部材に電磁波を吸収する電磁波吸収部材を塗布又は蒸着した部分であることを特徴とする請求項２記載のアンテナ装置。
【請求項５】
前記アンテナ本体の先端に固定されたモノポールアンテナ
を備える請求項１記載のアンテナ装置。
【請求項６】
前記アンテナ本体は、ホイップアンテナである請求項１記載のアンテナ装置。
【請求項７】
前記アンテナガイドは、筒状体である請求項１記載のアンテナ装置。
【請求項８】
第１のアンテナ装置と、
前記第１のアンテナ装置とは異なる周波数帯で使用する第２のアンテナ装置と、を備え、
前記第１のアンテナ装置は、
アンテナ本体と、
少なくとも一部が電磁波を吸収する電磁波吸収部材で構成され、前記アンテナ本体を所定方向へ摺動可能となるように収納するアンテナガイドと、
前記アンテナガイドに固定され、前記アンテナ本体に電気的に接続して給電するアンテナターミナルと、
を有する携帯端末装置。
【請求項９】
前記アンテナ本体は、ホイップアンテナであり、
前記第２のアンテナ装置は、ループアンテナである請求項８記載の携帯端末装置。
【請求項１０】
第１のアンテナ装置と、
前記第１のアンテナ装置とは異なる周波数帯で使用する第２のアンテナ装置と、
前記第１のアンテナ装置と前記第２のアンテナ装置との間に配置される電磁波を吸収する電磁波吸収部材と、を備え、
前記第１のアンテナ装置は、
アンテナ本体と、
前記アンテナ本体を所定方向へ摺動可能となるように収納するアンテナガイドと、
前記アンテナガイドに固定され、前記アンテナ本体に電気的に接続して給電するアンテナターミナルと、
を有する携帯端末装置。
【請求項１１】
前記アンテナ本体は、ホイップアンテナであり、
前記第２のアンテナ装置は、ループアンテナである請求項１０記載の携帯端末装置。
【発明の詳細な説明】
【技術分野】
【０００１】
本発明は、アンテナ装置及びアンテナ装置を備える携帯端末装置に関し、特に、非接触式ＩＣカード機能用のアンテナ装置と近接して配置されるアンテナ装置及びこのアンテナ装置を備える携帯端末装置に関する。
【背景技術】
【０００２】
近年、非接触式ＩＣカードが普及し始め、非接触式ＩＣカード機能を携帯電話装置等の携帯端末装置に組み込んだものも実用化されている。非接触式ＩＣカードの基本的な構成は、ループコイルアンテナと、非接触式ＩＣカード回路を集積した半導体集積回路とからなり、ループコイルアンテナをリーダライタにかざす動作だけで、電磁誘導を利用した非接触データ通信によりデータの書き込みや読み出し動作ができる。
【０００３】
図１２に、従来の非接触式ＩＣカード機能を組み込んだ携帯電話装置を背面から見た分解斜視図を示す。従来の非接触式ＩＣカード機能を組み込んだ携帯電話装置６０は、筐体６１の表面にループコイルアンテナ６２を内蔵封止し、非接触式ＩＣカード回路を集積した半導体集積回路６３に接続している。筐体６１には、裏カバー６４と電池カバー６５を着脱自在に設けている。電池カバー６５は筐体６１に収納した電池６６を交換するときに取り外す。筐体６１の上方に突出している６７は無線通信用のホイップアンテナであり、図１２の上下方向に出し入れ自在に支持している。非接触式ＩＣカード機能を利用するときは、筐体６１に裏カバー６４と電池カバー６５を取り付けた状態で用いる。（例えば、特許文献１参照）。
【０００４】
図１３に、非接触式ＩＣカード機能を組み込んだ携帯電話装置６０をリーダライタ７１にかざしたときの状態を示す。図１３（ａ）は、住居の入り口などに直立した姿で設置されたリーダライタ７１に携帯電話装置６０をかざしたときの状態を示し、図１３（ｂ）は、駅の改札口のように水平に置かれたリーダライタ７１ａに携帯電話装置６０をかざしたときの状態を示している。携帯電話装置６０のループコイルアンテナ６２とリーダライタ７１、７１ａは所定の通信距離（Ｌ）以内に接近すると、電磁誘導を利用したデータ通信を行なう。
【０００５】
なお、図１２、図１３に示した携帯電話装置６０ではループコイルアンテナ６２とホイップアンテナ６７がある程度近接している。従来、非接触式ＩＣカード用のループコイルアンテナの近くに他のアンテナを配置するときの留意事項として、第一に、ループコイルアンテナと他のアンテナとは互いに磁気的な結合を生じさせない程度の、すなわち各々の通信特性に障害を生じさせない程度の隙間を介して配置すること。第二に、ループコイルアンテナと他のアンテナとは、磁気的結合を回避するために、互いに重なり合わないように配置することが知られている。
【０００６】
そのため、図１２、図１３に示した携帯電話装置６０ではホイップアンテナ６７とループコイルアンテナ６２との間を一定距離だけ離し、ホイップアンテナ６７とループコイルアンテナ６２が重ならないように配置し、ホイップアンテナ６７とループコイルアンテナ６２との間の磁気的な結合あるいは電磁干渉による通信性能の劣化が起きないようにしている。
【０００７】
なお、ホイップアンテナの通信動作とループコイルアンテナの通信動作を隔絶する方法として、非接触式ＩＣカード用のアンテナモジュールの主面の全面に磁性シートとシールド板を貼り、シールド板によりホイップアンテナの通信動作とループコイルアンテナの通信動作を隔絶することが提案されている（例えば特許文献２参照）。
【特許文献１】特開２００３−３７８６１号公報
【特許文献２】特開２００４−３６４１９９号公報
【発明の開示】
【発明が解決しようとする課題】
【０００８】
しかし、携帯電話等の携帯端末装置では小型軽量化の一環として薄型化が求められている。また、Ｗ−ＣＤＭＡ等のような従来からの携帯電話用アンテナに加えて、前記の非接触式ＩＣカード機能用アンテナだけでなく、ディジタルテレビ受信用ホイップアンテナなど、複数のアンテナを収納することが求められるようになってきている。このように小型軽量化、薄型化が求められる携帯端末装置において、複数のアンテナを収納する場合には、複数のアンテナ間の影響が問題になる。
【０００９】
特に、非接触式ＩＣカード機能用のループコイルアンテナにシールド板をつけず、ディジタルテレビ受信用ホイップアンテナを密着し、かつ重ねて配置したときには、通信距離（Ｌ）が１０％程度短くなるという課題がある。
【００１０】
本発明は、ループコイルアンテナ、特に非接触式ＩＣカード機能用のループコイルアンテナの主面にシールド板を設けていない状況において、携帯電話装置などの無線通信用アンテナやディジタルテレビ受信用ホイップアンテナなどの他のアンテナを密着したり、重ねたりして近接して配置したときに複数のアンテナ間に影響が生じないようにすることを課題としている。
【課題を解決するための手段】
【００１１】
本発明のアンテナ装置は、アンテナ本体と、少なくとも一部が電磁波を吸収する電磁波吸収部材で構成されアンテナ本体を所定方向へ摺動可能となるように収納するアンテナガイドと、アンテナガイドに固定されアンテナ本体に電気的に接続して給電するアンテナターミナルとを備える。
【００１２】
この構成により、アンテナガイドの少なくとも一部を電磁波を吸収する電磁波吸収部材とすることにより、他のアンテナ装置の特性劣化を防止できる。例えば、他のアンテナ装置がループアンテナの場合、ループアンテナの通信距離が短くなるのを防ぐことができる。
【００１３】
また、本発明のアンテナ装置は、アンテナガイドは、アンテナターミナルの固定された電磁波を吸収しない部材で構成される部分と、アンテナターミナルの固定されていない電磁波を吸収する電磁波吸収部材を有する部材で構成される部分と、を有するものを含む。
【００１４】
この構成により、アンテナターミナルの固定された部分を電磁波を吸収しない部材とすることにより、アンテナ装置の特性劣化を防止できる。
【００１５】
また、本発明のアンテナ装置は、電磁波吸収部材を有する部材で構成される部分は、電磁波を吸収しない部材で構成される部分に装着又は接着されるものを含む。
【００１６】
この構成により、アンテナガイドを簡単に組み立てることができる。
【００１７】
また、本発明のアンテナ装置は、電磁波吸収部材を有する部材で構成される部分は、電磁波を吸収しない部材で構成される部分と一体成形され、電磁波を吸収しない部材に電磁波を吸収する電磁波吸収部材を塗布又は蒸着した部分であるものを含む。
【００１８】
この構成により、アンテナガイドの組み立て工数を削減することができる。
【００１９】
また、本発明のアンテナ装置は、アンテナ本体の先端に固定されたモノポールアンテナを備えるものを含む。
【００２０】
この構成により、アンテナ本体とモノポールアンテナとを用いて、ダイバーシティ受信をすることができる。
【００２１】
また、本発明の携帯端末装置は、第１のアンテナ装置と、第１のアンテナ装置とは異なる周波数帯で使用する第２のアンテナ装置と、を備え、第１のアンテナ装置は、アンテナ本体と、少なくとも一部が電磁波を吸収する電磁波吸収部材で構成され、アンテナ本体を所定方向へ摺動可能となるように収納するアンテナガイドと、アンテナガイドに固定され、アンテナ本体に電気的に接続して給電するアンテナターミナルと、を有するものを含む。
【００２２】
この構成により、第１のアンテナ装置のアンテナガイドの少なくとも一部を電磁波を吸収する電磁波吸収部材とすることにより、第２のアンテナ装置の特性劣化を防止できる。
【００２３】
また、本発明の携帯端末装置は、アンテナ本体は、ホイップアンテナであり、第２のアンテナ装置は、ループアンテナであるものを含む。
【００２４】
この構成により、アンテナ本体がホイップアンテナで、第２のアンテナ装置がループアンテナの場合、ホイップアンテナによって、ループアンテナの通信距離が短くなるのを防ぐことができる。また、ホイップアンテナの性能に悪影響を与えるということがないようにしている。
【００２５】
また、本発明の携帯端末装置は、第１のアンテナ装置と、前記第１のアンテナ装置とは異なる周波数帯で使用する第２のアンテナ装置と、前記第１のアンテナ装置と前記第２のアンテナ装置との間に配置される電磁波を吸収する電磁波吸収部材と、を備え、前記第１のアンテナ装置は、アンテナ本体と、前記アンテナ本体を所定方向へ摺動可能となるように収納するアンテナガイドと、前記アンテナガイドに固定され、前記アンテナ本体に電気的に接続して給電するアンテナターミナルと、を有する。
【００２６】
この構成により、第１のアンテナ装置と第２のアンテナ装置との間に配置される電磁波を吸収する電磁波吸収部材を備えることにより、第２のアンテナ装置の特性劣化を防止できる。
【００２７】
また、本発明の携帯端末装置は、アンテナ本体は、ホイップアンテナであり、第２のアンテナ装置は、ループアンテナであるものを含む。
【００２８】
この構成により、アンテナ本体がホイップアンテナで、第２のアンテナ装置がループアンテナの場合、ホイップアンテナによって、ループアンテナの通信距離が短くなるのを防ぐことができる。また、ホイップアンテナの性能に悪影響を与えるということがないようにしている。
【発明の効果】
【００２９】
本発明のアンテナ装置は、アンテナガイドの少なくとも一部を電磁波を吸収する電磁波吸収部材で構成することにより、他のアンテナ装置の特性劣化を防止できる。例えば、他のアンテナ装置がループアンテナの場合、ループアンテナの通信距離が短くなるのを防ぐことができる。
【００３０】
また、本発明の携帯端末装置は、第１のアンテナ装置のアンテナガイドの少なくとも一部を電磁波を吸収する電磁波吸収部材で構成することにより、第２のアンテナ装置の特性劣化を防止できる。
【００３１】
また、本発明の携帯端末装置は、第１のアンテナ装置と第２のアンテナ装置との間に配置される電磁波を吸収する電磁波吸収部材を備えることにより、第２のアンテナ装置の特性劣化を防止できる。
【発明を実施するための最良の形態】
【００３２】
以下、本発明を実施するための最良の形態を図面とともに説明する。
【００３３】
（実施の形態１）
本発明の実施の形態１について説明する。図１に、本発明の実施の形態１におけるアンテナ装置を搭載した携帯端末装置１００の概略構成図を示す。図１では、説明を簡単にするために筐体１を想像線で示し、筐体１の内部にあるループアンテナ２、ホイップアンテナ３、給電部であるアンテナターミナル４、パイプ状をしたアンテナガイド５の配置が一目で分かるように斜視図で示している。なお、ループアンテナ２とホイップアンテナ３は異なる周波数帯で使用する。
【００３４】
図１に示すように、本発明の実施の形態１における携帯端末装置１００の筐体１には、ループアンテナ２を設け、筐体１に対してＡ矢印方向に出し入れすることができるホイップアンテナ３と、筐体１に固定されホイップアンテナ３を出し入れ自在に支持するとともにホイップアンテナ３に給電するアンテナターミナル４を設けている。アンテナターミナル４の軸方向の一端には、ホイップアンテナ３を筐体１内に収納したときにホイップアンテナ３を覆うアンテナガイド５を取り付けている。そして、アンテナガイド５に電磁波吸収部材を用いている。図１では、ホイップアンテナ３を覆うアンテナガイド５を実線で示し、ホイップアンテナ３を破線で示している。
【００３５】
ホイップアンテナ３を筐体１内に収納したときにホイップアンテナ３とループアンテナ２が重なる領域において、ホイップアンテナ３は電磁波を吸収する電磁波吸収部材でできたアンテナガイド５に覆われる。
【００３６】
なお、電磁波吸収部材の材質としては、例えば、磁性粉としてフェライト（Ｎｉ-Ｚｎフェライト、Ｍｎ−Ｚｎフェライト）や、アモルファス（Ｆｅ−Ｓｉ−Ａｌ−Ｂ系）、パーマロイ（Ｆｅ−Ｎｉ系）、センダスト（Ｆｅ−Ａｌ−Ｓｉ系）粉などを合成樹脂中に混合したものを用いる。または、その他の磁性吸収材が考えられる。
【００３７】
図２に、図１のＢ−Ｂ断面図を示す。図２に示すように、ループアンテナ２の真上にはホイップアンテナ３が近接して設けてあり、ホイップアンテナ３は電磁波を吸収する電磁波吸収部材でできたアンテナガイド５に覆われている。例えば、ループアンテナ２は、アンテナの導体部分が絶縁用の樹脂などで覆われ、その上にホイップアンテナ３のアンテナガイド５を重ねて配置することもできる。このようにすれば、複数のアンテナを収納する携帯端末装置において、アンテナ特性をほとんど劣化させることがなく、携帯端末装置の小型軽量化、薄型化を実現することができる。
【００３８】
図２のように筐体１の下面近くにループアンテナ２を設けた携帯端末装置１００について、筐体１の下面近くのループアンテナ２を図示しないリーダライタにかざすと、リーダライタからループアンテナ２に向けて磁界ができ、ループアンテナ２を貫く磁束が変化することにより、ループアンテナ２に電流が流れる。このとき、電磁波を吸収する電磁波吸収部材でできたアンテナガイド５がホイップアンテナ３による電磁干渉を防ぐので、ループアンテナ２はリーダライタとの通信性能の劣化を防ぐことができる。より具体的には、ループアンテナ２とリーダライタとの通信距離を短くせずにデータ通信を行なうことができる。
【００３９】
図３に、本発明のアンテナ装置、すなわちホイップアンテナ３とアンテナガイド５とアンテナターミナル４の構造を断面図として示す。ホイップアンテナ３は、アンテナターミナル４の貫通穴に棒状アンテナ部分が通っていて、一端に段付き部分を持つアンテナトップ３ａと他端にアンテナストッパー３ｂを一体に設けている。アンテナターミナル４の上面と下面には、それぞれアンテナトップ３ａの段付き部分とアンテナストッパー３ｂが嵌合する凹部を設けている。そして、図３のように、ホイップアンテナ３を上方に引き上げると、アンテナストッパー３ｂがアンテナターミナル４の下面の凹部に嵌まり込み、アンテナストッパー３ｂがアンテナターミナル４と接続する。アンテナターミナル４は図示しない無線回路からアンテナストッパー３ｂ、そして棒状アンテナ部分に給電する。
【００４０】
ホイップアンテナ３を下方に押し下げたときは、アンテナトップ３ａの段付き部分がアンテナターミナル４の上面の凹部に嵌まり込み、棒状アンテナ部分はアンテナガイド５に収納される。なお図示していないが、ホイップアンテナ３の内部構造として、アンテナトップ３ａの段付き部分と棒状アンテナ部分は電気的に絶縁している。そのため、ホイップアンテナ３を下方に押し下げたときは、棒状アンテナ部分に給電しない。
【００４１】
ホイップアンテナ３を下方に押し下げたときは、ホイップアンテナ３の棒状アンテナ部分がループアンテナ２に近接するが、本発明では、アンテナガイド５に電磁波吸収部材を用いているため、ホイップアンテナ３の棒状アンテナ部分はループアンテナ２に対して影響を与えない。
【００４２】
なお、アンテナガイド５の形状は、パイプ状、すなわち筒状体であるとして説明したが、断面は円筒であっても、四角形などの多角形であっても、楕円であってもよい。
【００４３】
本発明の実施の形態１では、元々、携帯端末装置に組み込んでいたアンテナガイドの材質を電磁波吸収部材に変えるだけですむので、例えば電磁波吸収シートというような新部品を別途製作して携帯端末装置に組み込む必要が無い。つまり、部品を増やさず、かつ組み立て工数も増やすことなく通信性能の劣化を防ぐことができる。
【００４４】
なお、上記説明では、ホイップアンテナ３を下方に押し下げたときは、棒状アンテナ部分に給電しない、として説明したが、棒状アンテナ部分（ホイップアンテナ３）の先端に、モノポールアンテナを備えるようにして、ホイップアンテナ３を下方に押し下げたときは、棒状アンテナ部分に給電しないが、先端のモノポールアンテナに給電するようにすることもできる。この場合、棒状アンテナ部分（ホイップアンテナ３）とモノポールアンテナとを用いて、ダイバーシティ受信をすることができる。
【００４５】
以上説明したように、本実施の形態１のアンテナ装置であるホイップアンテナ３は、アンテナガイド５の少なくとも一部を電磁波を吸収する電磁波吸収部材とすることにより、他のアンテナ装置であるループアンテナ２の特性劣化を防止できる。例えば、ループアンテナ２の通信距離が短くなるのを防ぐことができる。また、本実施の形態１の携帯端末装置１００は、第１のアンテナ装置であるホイップアンテナ３のアンテナガイド５の少なくとも一部を電磁波を吸収する電磁波吸収部材とすることにより、第２のアンテナ装置であるループアンテナ２の特性劣化を防止できる。
【００４６】
（実施の形態２）
次に、本発明の実施の形態２について説明する。本発明の実施の形態２は、ホイップアンテナに給電する給電位置から所定距離だけ離した位置から電磁波吸収部材を配置した点に特徴がある。
【００４７】
図４に、本発明の実施の形態２におけるアンテナ装置を搭載した携帯端末装置２００の概略構成図を示す。図４に示すように、本発明の実施の形態２における携帯端末装置２００の筐体１には、ループアンテナ２を設け、筐体１に対してＡ矢印方向に出し入れすることができるホイップアンテナ３と、筐体１に固定されホイップアンテナ３を出し入れ自在に支持するとともにホイップアンテナ３に給電するアンテナターミナル４を設けている。ここまでは、実施の形態１と同じであるが、アンテナターミナル４の軸方向の一端には、ホイップアンテナ３を筐体１内に収納したときにホイップアンテナ３を覆うアンテナガイドについて、ホイップアンテナに給電する給電位置から所定距離だけ離した位置から電磁波吸収部材を用いている。
【００４８】
図４では、ホイップアンテナ３を覆うアンテナガイドを実線で示し、ホイップアンテナ３を破線で示している。アンテナガイドは、アンテナガイド６とアンテナガイド７をつないだ形にして、二つの材質を使い分けている。アンテナガイド６は電磁波を吸収しない部材で構成し、アンテナガイド７は電磁波吸収部材を有する部材で構成している。そして、電磁波吸収部材を有する部材で構成される部分、すなわちアンテナガイド７は、前記電磁波を吸収しない部材で構成される部分、すなわちアンテナガイド６に接着している。
【００４９】
図５（ａ）に、図４のＣ−Ｃ断面図を示し、図５（ｂ）に、図４のＤ−Ｄ断面図を示す。図５（ａ）も図５（ｂ）も、形状的には似ているが、アンテナガイドが電磁波吸収部材でないアンテナガイド６を用いているか、電磁波吸収部材であるアンテナガイド７を用いているかが異なっている。電磁波吸収部材でないアンテナガイド６部分は、例えば、樹脂性のものを用いることができる。また、図５に示すように、ループアンテナ２は、アンテナの導体部分が絶縁用の樹脂などで覆われ、その上にホイップアンテナ３のアンテナガイド７又はアンテナガイド６を重ねて配置することもできる。
【００５０】
このようにすれば、複数のアンテナを収納する携帯端末装置において、ループアンテナ２のアンテナ特性の劣化を少なくしつつ、携帯端末装置の小型軽量化、薄型化を実現することができる。この場合、ホイップアンテナ３に重なる部分が電磁波吸収部材を有する部材で構成しているアンテナガイド７の部分になり、電磁波を吸収しない部材で構成されるアンテナガイド６の部分が重ならないようにすれば、ループアンテナ２のアンテナ特性の劣化はほとんどなくすことができる。
【００５１】
図６に、本発明の実施の形態２における携帯端末装置２００のホイップアンテナ３を上方に伸ばしたときの概略構成図を示す。図６のように、ホイップアンテナ３を上方に引き上げると、アンテナストッパー３ｂがアンテナターミナル４の下面の凹部に嵌まり込み、アンテナストッパー３ｂがアンテナターミナル４と接続する。アンテナターミナル４は図示しない無線回路からアンテナストッパー３ｂ、そして棒状アンテナ部分に給電する。そして、ホイップアンテナ３はアンテナとして機能するわけであるが、電磁波吸収部材であるアンテナガイド７が所定距離、図６では所定の距離「Ｆ」だけ給電点から離れている。そのため、ホイップアンテナ３は電磁波吸収部材であるアンテナガイド７の影響を受けない。
【００５２】
例えば、ホイップアンテナ３をディジタルテレビ放送受信用アンテナとした場合、放送局の送信用アンテナに近い、テレビ放送電波の強い場所であれば、ホイップアンテナ３と電磁波吸収部材を離す実益は少ないであろうが、放送局の送信用アンテナから遠い、テレビ放送電波の弱い場所であれば、ホイップアンテナ３と電磁波吸収部材を離す実益がある。
【００５３】
図７に、本発明の実施の形態２における携帯端末装置２００のホイップアンテナ３とアンテナターミナル４とアンテナガイド６、アンテナガイド７を他の形状で構成したときの断面図を示す。基本的には、図６の構成と似ているが、アンテナガイド６ａの中にアンテナガイド７ａを押し込んで装着して一つのアンテナガイドとしている。
【００５４】
本発明の実施の形態２では、実施の形態１と同様に、アンテナガイド７が電磁波吸収部材でできているため、ホイップアンテナ３の棒状アンテナ部分がループアンテナ２に近接したとしても、他のアンテナであるループアンテナ２に影響を与えないという効果が得られるとともに、ホイップアンテナ３を筐体の上方に引き伸ばしてアンテナとして使用するときに、電磁波吸収部材がホイップアンテナ３のアンテナ特性に悪影響を与えないようにすることができる。
【００５５】
特に、ホイップアンテナとして、アンテナトップ３ａにモノポールアンテナを設けたときは、ホイップアンテナを筐体１内に押し込んだときに、アンテナトップ３ａと電磁波吸収部材が、図６の所定の距離「Ｆ」以上離れているので、電磁波吸収部材がアンテナトップ３ａに設けたモノポールアンテナに悪影響を与えないという効果が得られる。
【００５６】
なお上記では、アンテナガイド６とアンテナガイド７をつないだ形を示して説明したが、電磁波吸収部材を有する部材で構成される部分を、電磁波を吸収しない部材で構成される部分と一体成形し、電磁波を吸収しない部材に電磁波を吸収する電磁波吸収部材を塗布又は蒸着してもよい。
【００５７】
また、本実施の形態２で特に言及しない部分については、実施の形態１と同様である。
【００５８】
以上説明したように、本実施の形態２のアンテナ装置であるホイップアンテナ３は、アンテナターミナル４の固定された部分を電磁波を吸収しない部材とすることにより、アンテナ装置であるホイップアンテナ３の特性劣化を防止できる。また、本実施の形態２の携帯端末装置２００は、第１のアンテナ装置であるホイップアンテナ３のアンテナターミナル４の固定された部分を電磁波を吸収しない部材とすることにより、第１のアンテナ装置であるホイップアンテナ３の特性劣化を防止できる。
【００５９】
（実施の形態３）
次に、本発明の実施の形態３について説明する。本発明の実施の形態３は、アンテナガイド全体を電磁波吸収部材とするのでなく、アンテナガイドのループアンテナに面している側だけに電磁波吸収部材を配置した点に特徴がある。
【００６０】
図８に、本発明の実施の形態３におけるアンテナ装置を搭載した携帯端末装置３００の概略構成図を示す。図８に示すように、本発明の実施の形態３における携帯端末装置３００の筐体１には、ループアンテナ２を設け、筐体１に対してＡ矢印方向に出し入れすることができるホイップアンテナ３と、筐体１に固定されホイップアンテナ３を出し入れ自在に支持するとともにホイップアンテナ３に給電するアンテナターミナル４を設けている。ここまでは、実施の形態１および実施の形態２と同じであるが、アンテナターミナル４の軸方向の一端には、ホイップアンテナ３を筐体１内に収納したときにホイップアンテナ３を覆うアンテナガイドについて、ループアンテナ２に面している側だけに電磁波吸収部材を用いている。
【００６１】
図８では、電磁波吸収部材を用いている部分９を斜線を付して示し、電磁波吸収部材を用いていない部分８を斜線を付さずに区別して示している。図９に図８のＨ−Ｈ断面図を示す。図８に示すように、ループアンテナ２は、アンテナの導体部分が絶縁用の樹脂などで覆われ、その上にホイップアンテナ３のアンテナガイドの電磁波吸収部材を用いている部分９を重ねて配置することができる。
【００６２】
図９のように筐体１の下面近くにループアンテナ２を設けた携帯端末装置３００について、筐体１の下面近くのループアンテナ２を図示しないリーダライタにかざすと、リーダライタからループアンテナ２に向けて磁界ができ、ループアンテナ２を貫く磁束が変化することにより、ループアンテナ２に電流が流れる。このとき、アンテナガイドの電磁波を吸収する電磁波吸収部材を用いている部分９がホイップアンテナ３による電磁干渉を防ぐので、ループアンテナ２はリーダライタとの通信性能の劣化を防ぐことができる。
【００６３】
なお、図８と図９では、アンテナガイドのループアンテナ２に面している側だけに電磁波吸収部材を塗布又は蒸着して電磁波吸収部材を用いている部分９を形成した例を示したが、電磁波吸収部材でないアンテナガイドの外面に電磁波吸収部材でできたシートを貼り付けても良く、例えば、図１０のように、電磁波吸収部材でないアンテナガイド１０の外面に電磁波吸収部材でできたシート１１を置くようにしても良い。図１０では、ホイップアンテナ３を実線で示し、アンテナガイド１０を想像線で示し、電磁波吸収部材でできたシート１１を実線で示している。
【００６４】
図１１に、図１０のＪ−Ｊ断面図を示す。図１０に示すように、ループアンテナ２は、アンテナの導体部分が絶縁用の樹脂などで覆われ、その上に電磁波吸収部材でできたシート１１とホイップアンテナ３のアンテナガイド１０を重ねて配置することができる。
【００６５】
図１０のように、電磁波吸収部材でできたシートを用いた場合でも、筐体１の下面近くのループアンテナ２を図示しないリーダライタにかざすと、リーダライタからループアンテナ２に向けて磁界ができ、ループアンテナ２を貫く磁束が変化することにより、ループアンテナ２に電流が流れる。このとき、電磁波を吸収する電磁波吸収部材でできたシート１１がホイップアンテナ３による電磁干渉を防ぐので、ループアンテナ２はリーダライタとの通信性能の劣化を防ぐことができる。
【００６６】
なお、実施の形態３の携帯端末装置３００でも、実施の形態２で説明したように、ホイップアンテナに給電する給電位置から所定距離だけ離した位置から電磁波吸収部材を配置するようにしてもよい。
【００６７】
また、本実施の形態３で特に言及しない部分については、実施の形態１または実施の形態２と同様である。
【００６８】
以上説明したように、本実施の形態３の携帯端末装置３００は、第１のアンテナ装置であるホイップアンテナ３と第２のアンテナ装置であるループアンテナ２との間に配置される電磁波を吸収する電磁波吸収部材を備えることにより、第２のアンテナ装置であるループアンテナ２の特性劣化を防止できる。
【産業上の利用可能性】
【００６９】
本発明のアンテナ装置は、アンテナガイドの少なくとも一部を電磁波を吸収する電磁波吸収部材で構成することにより、他のアンテナ装置の特性劣化を防止できる。例えば、他のアンテナ装置がループアンテナの場合、ループアンテナの通信距離が短くなるのを防ぐことができる。そのため、複数のアンテナを搭載した携帯電話装置などの携帯端末装置、非接触ＩＣカード機能を搭載した携帯端末装置などに用いるアンテナ装置に適用することができる。
【００７０】
また、本発明の携帯端末装置は、第１のアンテナ装置のアンテナガイドの少なくとも一部を電磁波を吸収する電磁波吸収部材で構成することにより、第２のアンテナ装置の特性劣化を防止できる。そのため、複数のアンテナを搭載した携帯電話装置などの携帯端末装置、非接触ＩＣカード機能を搭載した携帯端末装置などに適用することができる。
【００７１】
また、本発明の携帯端末装置は、第１のアンテナ装置と第２のアンテナ装置との間に配置される電磁波を吸収する電磁波吸収部材を備えることにより、第２のアンテナ装置の特性劣化を防止できる。そのため、複数のアンテナを搭載した携帯電話装置などの携帯端末装置、非接触ＩＣカード機能を搭載した携帯端末装置などに適用することができる。
【図面の簡単な説明】
【００７２】
【図１】本発明の実施の形態１に係るアンテナ装置を搭載した携帯端末装置の概略構成図
【図２】本発明の実施の形態１に係るアンテナ装置を搭載した携帯端末装置の断面図
【図３】本発明の実施の形態１に係るアンテナ装置の断面図
【図４】本発明の実施の形態２に係るアンテナ装置を搭載した携帯端末装置の概略構成図
【図５】（ａ）本発明の実施の形態２に係るアンテナ装置を搭載した携帯端末装置の断面図（ｂ）本発明の実施の形態２に係るアンテナ装置を搭載した携帯端末装置の断面図
【図６】本発明の実施の形態２に係るアンテナ装置を搭載した携帯端末装置の断面図
【図７】本発明の実施の形態２に係る他のアンテナ装置の断面図
【図８】本発明の実施の形態３に係るアンテナ装置を搭載した携帯端末装置の概略構成図
【図９】本発明の実施の形態３に係るアンテナ装置を搭載した携帯端末装置の断面図
【図１０】本発明の実施の形態３に係る他のアンテナ装置を搭載した携帯端末装置の概略構成図
【図１１】本発明の実施の形態３に係る他のアンテナ装置を搭載した携帯端末装置の断面図
【図１２】従来のアンテナ装置を搭載した携帯端末装置の斜視図
【図１３】（ａ）従来のアンテナ装置を搭載した携帯端末装置の使用状態を示すシステム図（ｂ）従来のアンテナ装置を搭載した携帯端末装置の使用状態を示すシステム図
【符号の説明】
【００７３】
１    筐体
２    ループアンテナ
３    ホイップアンテナ
４    アンテナターミナル
５    アンテナガイド
【図１】
2009111954.tif 000003
【図２】
2009111954.tif 000004
【図３】
2009111954.tif 000005
【図４】
2009111954.tif 000006
【図５】
2009111954.tif 000007
【図６】
2009111954.tif 000008
【図７】
2009111954.tif 000009
【図８】
2009111954.tif 000010
【図９】
2009111954.tif 000011
【図１０】
2009111954.tif 000012
【図１１】
2009111954.tif 000013
【図１２】
2009111954.tif 000014
【図１３】
2009111954.tif 000015